(57)【特許請求の範囲】
【請求項１】
連続した記録媒体を所望する長さに切断するオートカッタにおいて、
規制された移動経路に沿って移動可能に配置されたカッタ刃と、
カッタフレームに移動及び揺動可能に取り付けられ前記カッタ刃と係合する揺動レバーと、
前記揺動レバーの移動を抑制するように前記揺動レバーを所定方向に付勢する付勢部材と、
モータによって駆動され、前記カッタ刃が前記記録媒体を切断する場合に前記カッタ刃を移動させる分力と前記付勢部材に抗して前記揺動レバーを移動させる分力が得られるように前記揺動レバーを回動する揺動レバー駆動ピンを植設されたウォームホイールとを有し、
前記カッタ刃と前記揺動レバーとの係合部は、一体的に前記カッタ刃の移動方向に移動するように係合する第１係合部と、前記揺動レバーが移動した場合前記揺動レバーのみが前記記録媒体側へ近づくように相対移動可能な第２係合部を備えてなることを特徴とするオートカッタ。
【請求項２】
前記係合部は、前記カッタ刃と前記揺動レバーのどちらか一方に軸状のカッタ刃駆動ピンを配置し、他方には前記カッタ刃駆動ピンが摺動するＬ字形の溝若しくは孔が形成されていることを特徴とする請求項１記載のオートカッタ。
【請求項３】
前記カッタ刃は矩形の形状をし、前記カッタフレームは、前記カッタ刃の両側面に前記カッタ刃の横端面が当接する凸部を備えていることを特徴とする請求項２記載のオートカッタ。
【請求項４】
前記カッタ刃は、押さえバネにより前記カッタフレームに付勢されていることを特徴とする請求項３記載のオートカッタ。
【発明の詳細な説明】
【０００１】
【発明の属する技術分野】
本発明は、印刷装置等に配置され記録媒体を使用されるに関するものであり、具体的には印刷装置のレシート紙を自動切断するカッタ機構に関するものである。
【０００２】
【従来の技術】
従来、モータを駆動源としてカッタ刃を駆動していたオートカッタは、たとえばカッタ刃の移動範囲に異物が混入してカッタ刃の進行を妨げた場合、モータが停止することによってカッタ刃の破損を防止する機構であった。
【０００３】
【発明が解決しようとする課題】
上記のこようなオートカッタにおいては、カッタ刃の破損を防止するためにモータが停止する機構になっているわけであるが、そのモータのトルク管理を厳密に行うことによって実現できているのであり、管理費のアップや部品単価のアップが発生し、コストアップとなっていた。さらにモータ作成においては規格が厳しいがために歩留まりが悪く生産性を低下させていた。
【０００４】
又、たとえモータのトルク管理をきちんとできても、電圧のバラツキが激しい地域で使用された場合に、特に規格以上の電圧が加わってしまうとモータが停止せずカッタ刃を破損させてしまいサービスコールが発生していた。
【０００５】
更に、この機構のものでは急激にモータを停止させるのでカッタ刃を駆動させる歯車等の輪列はイナーシャが掛かっても破損しないように厚みを厚くしなければならない為、小型化ができないものであった。
【０００６】
本発明の目的は上記課題を解決し、簡略な機構によりカッタ刃の破損を防止し、小型化、簡略な制御で更には小型で廉価で信頼性の向上したオートカッタを提供することにある。
【０００７】
【課題を解決するための手段】
上記課題を解決するために本発明は、連続した記録媒体を所望する長さに切断するオートカッタにおいて、規制された移動経路に沿って移動可能に配置されたカッタ刃と、カッタフレームに移動及び揺動可能に取り付けられ前記カッタ刃と係合する揺動レバーと、前記揺動レバーの移動を抑制するように前記揺動レバーを所定方向に付勢する付勢部材と、モータによって駆動され、前記カッタ刃が前記記録媒体を切断する場合に前記カッタ刃を移動させる分力と前記付勢部材に抗して前記揺動レバーを移動させる分力が得られるように前記揺動レバーを回動する揺動レバー駆動ピンを植設されたウォームホイールとを有し、
前記カッタ刃と前記揺動レバーとの係合部は、一体的に前記カッタ刃の移動方向に移動するように係合する第１係合部と、前記揺動レバーが移動した場合前記揺動レバーのみが前記記録媒体側へ近づくように相対移動可能な第２係合部を備えてなることを特徴とする。
【０００８】
上記構成にすることにより、カッタ刃が移動を規制されると揺動レバーが分力により移動するので、カッタ刃と揺動レバーの係合部は第２係合部に係合して揺動レバーのみ移動するので、揺動レバーが揺動可能となり、モータがロックする現象を引き起こすことはない。
【０００９】
また、係合部は、カッタ刃と揺動レバーのどちらか一方に軸状のカッタ刃駆動ピンを配置し、他方にはカッタ刃駆動ピンが摺動するＬ字形の溝若しくは孔が形成されていることを特徴とする。
【００１０】
上記構成にすれば、効率よく上記課題を達成することが可能となる。
【００１１】
更に、カッタ刃は矩形の形状をし、カッタフレームは、カッタ刃の両側面にカッタ刃の横端面が当接する凸部を備えていることを特徴とする。
【００１２】
上記構成によれば、カッタ刃は両側が凸部により規制されるので、回転することなく略平行に移動しその直進性が向上する。
【００１３】
また、更に、カッタ刃は、押さえバネによりカッタフレームに付勢されていることを特徴とする。
【００１４】
上記構成によれば、カッタ刃はカッタフレームの摺動面から浮き上がることがないので、凸部から外れることはなく、更には、カッタフレームを加工し易いように凸部の高さを小さくすることもできる等応用範囲が広くなる効果がある。
【００１５】
【発明の実施の形態】
以下に本発明を図面に基づいて説明する。図１は本発明の一実施例のオートカッタを搭載したキャシュレジスタに使用される印刷装置の上面図である。
【００１６】
１は、レシート紙、２は記録を保存する為に印字されたジャーナル紙、３は印字ヘッド、４はリボンカセット、５はカッタ刃押え板、６はカッタ刃受け板である。
【００１７】
以下にオートカッタ部の詳細説明を行う。図２、図３、図４、図５及び図６は本発明の一実施例を示すオートカッタ機構の詳細説明図であり、図２、図３及び図４は、斜視図、図５及び図６は上面図である。
【００１８】
図２に示すように、高トルク型のモータであるカッタ駆動源７の出力軸は、歯車列８を介して揺動レバー駆動ピン９を植設されたウォームホイール１０を回転駆動させる。
【００１９】
図３に示すように、揺動レバー駆動ピン９は、揺動レバー１１に形成されたガイド穴１２に係合しており、揺動レバー１１は、ウォームホイール１０の回転に応じて揺動中心軸１３を中心とし揺動動作する。
【００２０】
図４に示すように、揺動レバー１１の先端部に突設されたカッタ刃駆動ピン１４は、カッタ刃受け板６に開設された角穴１５を挿通して、カッタ刃受け板６に設けられた２箇所の凸部１６の間に置かれたカッタ刃１７の係合穴１８に嵌合していて、揺動レバー１１の揺動動作はカッタ刃駆動ピン１４を介して、カッタ刃１７を進退運動をさせる。
【００２１】
カッタ受け板６の凸部１６は、カッタ受け板６のハーフブランクによって形成され、カッタ刃１７側の端面は、カッタ刃１７の摺動面ｆに対して略直角に形成されている。
【００２２】
また、カッタ刃受け板６の上には、カッタ刃１７を覆うように如くカッタ刃押え板５が装備される。カッタ刃押さえ板５には、カッタ刃１７をカッタ受け板１６の摺動面に付勢するよう板バネの押えバネ２６が固定されている。
【００２３】
従って、カッタ刃１７は、両側を凸部１６に案内されカッタ刃受け板６とカッタ刃押え板５との板状の隙間を、揺動レバー１１の揺動運動に応じてカッタ刃受け板６及びカッタ刃押え板５に開設された挿通穴１９直交する方向に進退し、両方の挿通穴１９に挿通されて移動を規制されたレシート紙１の紙面と直交方向に進退しレシート紙１を切断する。
【００２４】
また、図３及び図４に示すように、揺動レバー１１の揺動中心側に開設された揺動中心穴２０は、支持フレーム２１に突設された揺動中心軸１３に挿通され、支持フレーム２１に突設されたバネ掛け軸２２と揺動レバー１１に設けられたバネ掛け部２３との間に取り付けられたバネ２４によって揺動レバー１１は矢印ａ方向に引っ張られ、揺動中心穴２０は揺動中心軸１３と当接している。
【００２５】
以上が本発明のオートカッタの一実施例の動作説明である。
【００２６】
上記オートカッタにおいて、図５及び図６を基にカッタ刃受け板６及びカッタ刃押え板５に開設された紙挿通穴１９にクリップ等の異物２５が挿通された場合を説明する。
【００２７】
異物２５によってカッタ刃１７は、異物２５によって動きを妨害され停止し、
係合穴１８の第１の係合部ｄに嵌合したカッタ刃駆動ピン１４の揺動運動も停止される。
【００２８】
しかしカッタ駆動源７は、その後も出力軸の回転を続けるので、揺動レバー駆動ピン９の回転運動は継続される。
【００２９】
次に揺動レバー１１は、揺動レバー駆動ピン９の回転運動によって、カッタ刃駆動ピン１４をカッタ刃１７の係合穴１８に当接させた状態で矢印ｂ方向に移動しはじめ、カッタ刃駆動ピン１４がカッタ刃１７の係合穴１８のカッタ刃の進退方向に形成された第２の係合部ｃに入り込んだ時点から、更に、揺動レバー駆動ピン９によって揺動中心を移動された状態で再び揺動運動が再開される。
【００３０】
この場合は、揺動レバー１１は揺動されるがカッタ刃駆動ピン１４がカッタ刃１７に配置された刃の進行方向と同方向に設けられ係合穴を移動するので、カッタ刃１７は移動しない。
【００３１】
その後、カッタ刃の復帰行程に入ると、揺動レバー１１は反対方向に揺動されるが、カッタ刃駆動ピン１４は、係合穴１８のカッタ刃１７の幅方向の穴部にさしかかるまで係合穴１８の進行方向の穴部を移動する。
【００３２】
揺動レバー１１は、バネ２４によって支点部がカッタ刃１７の方向に付勢されているので、カッタ刃駆動ピン１４が係合穴１８のカッタ刃１７の幅方向の穴部にさしかかると、カッタ刃駆動ピン１４は幅方向の穴部へと移動して、揺動レバー１１の揺動運動によってカッタ刃駆動ピン１４はカッタ刃１７が停止した状態で係合穴１８のｄ部に入り込み、揺動レバー１１はバネ２４によって異物２５によりカッタ刃１７が停止した時点の位置に戻される。更に、カッタ刃１７は動作開始時の位置に戻されて停止する。オペレータは、レシート紙１が切断されない異状により、異物が入る等の故障原因を推定し、チェックによって異物を発見して異物２５を除去すると、その後は通常のレシート紙１の切断が可能となる。
【００３３】
また、上記異物等によりカッタ刃１７が停止された際に、カッタ刃１７は、バネ２４によって揺動レバー１１を介してカッタ刃受け板６に設けたｅ側の凸部１６の端面に付勢されるが、その端面が摺動面ｆに対して垂直に形成されていることと、押さえバネ２６によりカッタ刃１７が摺動面ｆに付勢されていることから、カッタ刃１７が浮き上がってカッタ刃押え板５との隙間に入り込むことはない。
【００３４】
また、通常のカッタ刃１７の進退運動中にカッタ刃１７が上記隙間に入り込まない為に、カッタ刃押え板５に接合された押えバネ２６によって、カッタ刃１７をカッタ刃受け板６のｆ面に当接させる。
【００３５】
また、カッタ刃１７が押さえバネ２６により摺動面ｆに付勢されていることから、レシート紙１の切断時にカッタ刃受け板６の紙挿通穴１９の規制部ｇ部とカッタ刃１７との高さ方向の隙間が広くならず、その結果、レシート紙１が規制部ｇと突き進んだカッタ刃１７の間に折れ曲がって入る切断不良がなくなり、カット品質は向上するものである。
【００３６】
本実施の形態では、揺動レバーにピンを配し、カッタ刃にＬ字状の穴を付けた例にて説明したが、カッタ刃に軸状のピンを配し、揺動レバーにＬ字状のピンを配しても、その効果は同様に得られるものである。
【００３７】
【発明の効果】
以上述べたように本発明によれば、連続した記録媒体を所望する長さに切断するオートカッタにおいて、規制された移動経路に沿って移動可能に配置されたカッタ刃と、カッタフレームに移動及び揺動可能に取り付けられ前記カッタ刃と係合する揺動レバーと、前記揺動レバーの移動を抑制するように前記揺動レバーを所定方向に付勢する付勢部材と、モータによって駆動され、前記カッタ刃が前記記録媒体を切断する場合に前記カッタ刃を移動させる分力と前記付勢部材に抗して前記揺動レバーを移動させる分力が得られるように前記揺動レバーを回動する揺動レバー駆動ピンを植設されたウォームホイールとを有し、
前記カッタ刃と前記揺動レバーとの係合部は、一体的に前記カッタ刃の移動方向に移動するように係合する第１係合部と、前記揺動レバーが移動した場合前記揺動レバーのみが前記記録媒体側へ近づくように相対移動可能な第２係合部を備えてなることにより、カッタ刃が移動を規制されると揺動レバーが分力により移動するので、カッタ刃と揺動レバーの係合部は第２係合部に係合して揺動レバーのみ移動するので、揺動レバーが揺動可能となり、モータがロックする現象を引き起こすことはない。更に、支点部が移動のみで済むことから、省スペース化を図ることができて機構全体の大きさを小さくできる。
【００３８】
また、係合部は、カッタ刃と揺動レバーのどちらか一方に軸状のカッタ刃駆動ピンを配置し、他方にはカッタ刃駆動ピンが摺動するＬ字形の溝若しくは孔が形成されていることによれば、効率よく上記課題を達成することが可能となる。
【００３９】
更に、カッタ刃は矩形の形状をし、カッタフレームは、カッタ刃の両側面にカッタ刃の横端面が当接する凸部を備えていることにより、カッタ刃は両側が凸部により規制されるので、回転することなく略平行に移動しその直進性が向上する。
【００４０】
また、更に、カッタ刃は、押さえバネによりカッタフレームに付勢されていることにより、カッタ刃はカッタフレームの摺動面から浮き上がることがないので、凸部から外れることはなく、更には、カッタフレームを加工し易いように凸部の高さを小さくすることもできる等応用範囲が広くなる効果があり、本願の実用的効果は極めて大きいものである。
【図面の簡単な説明】
【図１】  本発明の一実施例であるオートカッタを搭載した印刷装置の上面図。
【図２】  本発明の一実施例であるオートカッタの斜視図。
【図３】  本発明の一実施例であるオートカッタの斜視図。
【図４】  本発明の一実施例であるオートカッタの斜視図。
【図５】  本発明の一実施例であるオートカッタ動作中に、異物２５がカッタ刃受け板６の紙挿通穴１９に入り込んだ場合の動作説明を行なう上面図。
【図６】  本発明の一実施例であるオートカッタ動作中に、異物２５がカッタ刃受け板６の紙挿通穴１９に入り込んだ場合の動作説明を行なう上面図。
【符号の説明】
１      レシート紙
２      ジャーナル紙
５      カッタ刃押え板
６      カッタ刃受け板
７      カッタ駆動源
９      揺動レバー駆動ピン
１０      ウォームホイール
１１      揺動レバー
１２      ガイド穴
１３      揺動中心軸
１４      カッタ刃駆動ピン
１５      角穴
１６      凸部
１７      カッタ刃
１８      係合穴
１９      紙挿通穴
２０      揺動中心穴
２１      支持フレーム
２２      バネ掛け軸
２３      バネ掛け部
２４      バネ
２６      押えバネ
【図１】
0003767640.tif 000002
【図２】
0003767640.tif 000003
【図３】
0003767640.tif 000004
【図４】
0003767640.tif 000005
【図５】
0003767640.tif 000006
【図６】
0003767640.tif 000007